(57)【要約】【課題】電気的特性を損なわないまま、基板中のガスを効果的に放散でき、製造時の加熱等によってもふくれや剥離を発生し難くくし、反りを抑制することで、実装性や信頼性の高い半導体パッケージ用の多層配線基板と半導体装置を提供する。【解決手段】導体層と絶縁層とが積層されており、導体層は配線層及び、電源またはグランド層を有しており、電源またはグランド層にはこれらを厚さ方向に貫く開口が形成されており、開口の配線層に占める割合が、多層配線基板の導体層の面内の中央側が低く周辺側が高いことを特徴とする多層配線基板と、それを用いた半導体素子を実装した半導体装置。【選択図】図１
2010238692.tif 000002
【特許請求の範囲】
【請求項１】
導体層と絶縁層とが積層されており、該導体層は配線層及び、電源またはグランド層を有しており、該電源またはグランド層にはこれらを厚さ方向に貫く開口が形成されており、
該開口の該配線層に占める割合が、多層配線基板の導体層の面内の中央側が低く周辺側が高いことを特徴とする多層配線基板。
【請求項２】
導体層と絶縁層とが積層されており、該導体層は配線層及び、電源またはグランド層を有しており、該電源またはグランド層にはこれらを厚さ方向に貫く開口が形成されており、
該開口が形成されている領域である形成領域の輪郭が成す形状と、該開口が形成されていない領域である非形成領域の輪郭が成す形状の、いずれか片方か又は両方を、該多層配線基板の導体層の面内の中心側から外側に向かう放射状に設けることを特徴とする多層配線基板。
【請求項３】
導体層と絶縁層とが積層されており、該導体層は配線層及び、電源またはグランド層を有しており、該電源またはグランド層にはこれらを厚さ方向に貫く開口が形成されており、
該配線層に占める該開口の割合が、該多層配線基板の厚さ方向の中心側に在る層では低く、外側に在る層では高いことを特徴とする多層配線基板。
【請求項４】
導体層と絶縁層とが積層されており、該導体層は配線層及び、電源またはグランド層を有しており、該電源またはグランド層にはこれらを厚さ方向に貫く開口が形成されており、
該開口の個々の形状は長手方向と短手方向を有しており、該長手方向が、導体層の面内の中心側から外側へ放射状に向かう方向であることを特徴とする多層配線基板。
【請求項５】
導体層と絶縁層とが積層されており、該導体層は配線層及び、電源またはグランド層を有しており、該電源またはグランド層にはこれらを厚さ方向に貫く開口が形成されており、
該開口の個々の形状は長手方向と短手方向を有しており、該長手方向が、導体層の面内の中心側と多層配線基板の辺との間の該辺に近い区域では該辺の方向に垂直な方向であることを特徴とする多層配線基板。
【請求項６】
導体層と絶縁層とが積層されており、該導体層は配線層及び、電源またはグランド層を有しており、該電源またはグランド層にはこれらを厚さ方向に貫く開口が形成されており、
該開口の個々の形状は長手方向と短手方向を有しており、該長手方向が、導体層の面内の中心側から外側へ放射状に向かう方向に垂直な方向であることを特徴とする多層配線基板。
【請求項７】
導体層と絶縁層とが積層されており、該導体層は配線層及び、電源またはグランド層を有しており、該電源またはグランド層にはこれらを厚さ方向に貫く開口が形成されており、
該開口の個々の形状は長手方向と短手方向を有しており、該長手方向が、導体層の面内の中心側と多層配線基板の辺との間の該辺に近い区域では該辺の方向に平行な方向であることを特徴とする多層配線基板。
【請求項８】
前記開口が、前記多層配線基板の回路の１ＭＨｚ以上の交流信号が流れる部分以外の箇所に配置されていること、を特徴とする請求項1乃至７のいずれかに記載の多層配線基板。
【請求項９】
請求項１乃至７のいずれかに２以上に記載の多層配線基板の特徴が組み合わされていること、を特徴とする多層配線基板。
【請求項１０】
請求項１乃至９のいずれかに記載の多層配線基板に、半導体素子が実装されていることを特徴とする半導体装置。
【発明の詳細な説明】
【技術分野】
【０００１】
本発明は、半導体素子のパッケージ基板等に適用される多層配線基板とそれを用いた半導体装置に関し、特にその多層配線基板の反りや、実装性、信頼性、等の対策に有効であり、多層配線基板内の電源またはグランド層に形成した開口の配置や形状に関する発明である。
【背景技術】
【０００２】
近年、高度情報化時代を迎え、情報通信技術や情報処理技術などが急激に発達し、それらの技術を具現化するためのエレクトロニクス機器や、エレクトロニクス機器に部品として実装される各種半導体モジュールの高密度化、高速化が、急速に進んでいる。そのため、半導体を実装するためのインターポーザ基板や、半導体を含む電子部品を実装する半導体パッケージ用多層基板には、高密度化と高速対応が要求されてきている。一方、エレクトロニクス機器には、小型・薄型化・軽量化が要求されることが多いため、高密度化、高速対応、小型化、薄型化をバランスよく併存させることが必要となる。
【０００３】
このような要求を背景に、とりわけ半導体パッケージ用のインターポーザ基板や、モジュール用の基板用として、絶縁層が有機材料からなる半導体パッケージ用多層基板が主流を占めるようになってきた。これは、無機系材料に比べ、柔軟性をもち落下などの衝撃に耐える耐衝撃性がある事や、軽量で安価であることなどが評価されていることによる。
【０００４】
しかしながら、有機材料の絶縁層の種類によっては吸湿する量に違いがあり、半導体パッケージ用多層基板として形成された後に、吸湿した水分が、加熱工程の後などに、絶縁層上に形成されている配線層の下へ回り込み、繰り返される熱処理によって水分が気化してガスとなり、絶縁層と配線層の密着部のふくれや剥離が発生するなどの問題が生じることがある。
これは、絶縁層から大気中にガスが放散されるのを、配線層の導体が妨げるために、結果としてこのような現象が生じると考えられる。
【０００５】
代表例として、特に絶縁層用の有機材料の一つであるポリイミド系の材料などでは、半導体パッケージ用多層基板用の材料として一般的なエポキシ系の材料などに比べ、低い誘電率や、低い誘電正接の値などの非常に良好な電気特性を有しており高速対応に有利といえる。また、ガラス転移点の温度が、前記リフロー温度の値より高いため変形しにくく熱耐性が高い。さらに強い引っ張り強度耐性などの優れた機械的特性をもつことから薄くできる、などの優れた特徴をもつ。
しかし、ポリイミド系の材料などでは吸湿性が大きいという問題がある。
【０００６】
上記の問題を解決するための対策として、導体層の一部にガス抜き用の貫通開口を形成することが提案されており、例えば、配線のシグナル部および、その上下の層の一定エリア以外の部分に開口を設けたものがある（特許文献１）。
このような方策により、発生したガスを効果的に放散することができ、加熱工程においてもふくれや剥離の発生し難い半導体パッケージ用多層基板が提案されている。
【０００７】
一方で、前述したように半導体パッケージ用多層基板の薄化、軽量化が進むことにより半導体パッケージ用多層基板の反りが、実装性や信頼性の観点から重要な問題となってきている。
すなわち、半導体パッケージ用基板の反りによって、半導体のベアチップ実装またはマザーボードへの実装である、ＦＣ（フリップチップ）実装や、ＢＧＡ実装、ＬＧＡ実装などにおいて、各端子と対応する接続用パッドの接続が充分ではない状態となることがあり、これが接続信頼性を低下させる。
【０００８】
そこで、前記接続不良の問題を解決するための対策として、例えば、配線板の四辺を折り曲げ、外部応力に対応する方法が提案されている（特許文献２）。
しかし、この方法では、折り曲げ部から異物が発生したり、多層配線板の場合、層間剥離が起きやすくなったりする問題がある。
【０００９】
また他に、配線基板の絶縁層を形成する際に、予め後の工程にて掛かる熱工程を施しておき、後の工程においての反り増加を抑制する方法なども提案されている（特許文献３）。
この方法では、絶縁層の硬化収縮に伴う反りを抑制する事を目的としているが、硬化収縮するタイミングが、早い段階か遅い段階かで変わるだけであり、最終的に蓄積される内部応力に変化はなく、反りを根本的に解決する施策ではないと考えられる。
【先行技術文献】
【特許文献】
【００１０】
【特許文献１】特開２００５−３５３８３５号公報
【特許文献２】特開平０９−０９７８５６号公報
【特許文献３】特開２００５−１８３４４１号公報
【発明の概要】
【発明が解決しようとする課題】
【００１１】
従来は前記のように、多層配線基板のガス抜きの為に導体層の電源またはグランド部に開口を設ける対策と、反りを低減する為の対策とが別々に提案されていた。しかし、これらを同時に解決し、現実に製品を得る為のバランスの良い生産性や品質あるいは性能を備えた多層配線基板を得易い効果的な手法は提案されていなかった。
【００１２】
本発明は前記従来の技術の問題点に鑑みて成されたもので、ガス抜きによる多層配線基板の剥離やふくれを防ぎながら反りを抑制することができ、実装性や信頼性の高い半導体パッケージ用の多層配線基板とそれを用いた半導体装置を提供する事を目的とする。
【課題を解決するための手段】
【００１３】
上記の課題を解決するための手段として、請求項１に記載の発明は、導体層と絶縁層とが積層されており、該導体層は配線層及び、電源またはグランド層を有しており、該電源またはグランド層にはこれらを厚さ方向に貫く開口が形成されており、該開口の該配線層に占める割合が、多層配線基板の導体層の面内の中央側が低く周辺側が高いことを特徴とする多層配線基板である。
【００１４】
導体層のシグナル部以外の開口率が面内の中央側では低く周辺側では高くしたものである。ここで、開口率が低いということは、導体が残っている割合（以下では単に「残導体率」と記す）が高い、（導体が多く残っている）ということである。中央側では、弾性率が高く主に金属で形成された導体が多く残されていることにより、中央側の剛性が高くなる。一方、周辺側では剛性が低くなる。
具体例としては、図１や表１に示すように、導体面を幾つかの領域に分け、それらの領域ごとに開口率を規定する事が有効である。中央側の剛性が高い事により、基板中央付近の反りが抑えられる。
【００１５】
【表１】
2010238692.tif 000003
【００１６】
この結果として、基板全体の反り量が低減される。これは、図２に示すように、もし同一の曲率で多層配線基板が反ったとした場合に、中央側のみが反った場合の方が反り量が大きい為である。
なお、この開口率は開口のサイズ、数、ピッチ、又、配置などを適宜変更する事により調整が出来る。本発明では、この開口率は５〜６０％が良好であり、また１０〜３０％がさらに好適である。本発明では、位置ごとに他の領域と比較して開口率を高く、あるいは低く設定する事が出来るが、導体層や絶縁層の材質、また配線パターンに応じて、適宜、最適化することが望ましい。
【００１７】
また、請求項２に記載の発明は、導体層と絶縁層とが積層されており、該導体層は配線層及び、電源またはグランド層を有しており、該電源またはグランド層にはこれらを厚さ方向に貫く開口が形成されており、該開口が形成されている領域である形成領域の輪郭が成す形状と、該開口が形成されていない領域である非形成領域の輪郭が成す形状の、いずれか片方か又は両方を、該多層配線基板の導体層の面内の中心側から外側に向かう放射状に設けることを特徴とする多層配線基板である。
【００１８】
すなわち、図３(a)、(b)に示すように、意識的に開口を設ける部分と設けない部分を用いることによって、反りの抑制を行うものである。図３（ａ）に示すように導体層内の中心から放射状に導体部を残す事で、その部分の剛性を高め、反りを低減している。イメージとしては開口の非形成領域に剛体棒を貼り付け反りを抑制している様なものである。一方、図３（ｂ）に示すように、開口の形成領域を規定する方法においても、効果としては図３（a）の場合と同様である。しかし、開口の規定のし易さとして非形成領域を規定するよりも形成領域を規定した方が分りやすい場合も有る為である。これらは本質的には同じ事であるので、設計者の使用の便において任意に使い分ける事が出来る。
【００１９】
また、請求項３に記載の発明は、導体層と絶縁層とが積層されており、該導体層は配線層及び、電源またはグランド層を有しており、該電源またはグランド層にはこれらを厚さ方向に貫く開口が形成されており、該配線層に占める該開口の割合が、該多層配線基板の厚さ方向の中心側に在る層では低く、外側に在る層では高いことを特徴とする多層配線基板である。
【００２０】
図４と表２に示すように、本発明では、開口率を中心部の層で低く、外側の層で高くすることによって、中心部の層の剛性を高め、外側の層で剛性を低くしている。図５は開口の径を変えて開口率を変化させた例である。また、図１０は前述の場合の配線板の断面イメージ図である。シグナル部ではない、電源層もしくはグランド部にて該開口を形成している。
【００２１】
【表２】
2010238692.tif 000004
【００２２】
多層基板の場合、一般的に層数が増加し、積層回数が多くなると共に内部応力が増加するが、外側の層の剛性が中心層にくらべて低い為、積層されても中心層の形状に引きずられて、反り量が大きく増加する事はない。開口率としては、５〜６０％が良好であり、１０〜３０％がさらに好適であり、層ごとに他の層と比較して開口率を高く、あるいは低く設定する事が出来るが、導体層、絶縁層の材質、配線パターン応じて種々最適化することが望ましい。
【００２３】
また、請求項４に記載の発明は、導体層と絶縁層とが積層されており、該導体層は配線層及び、電源またはグランド層を有しており、該電源またはグランド層にはこれらを厚さ方向に貫く開口が形成されており、該開口の個々の形状は長手方向と短手方向を有しており、該長手方向が、導体層の面内の中心側から外側へ放射状に向かう方向であることを特徴とする多層配線基板である。
【００２４】
また、請求項５に記載の発明は、導体層と絶縁層とが積層されており、該導体層は配線層及び、電源またはグランド層を有しており、該電源またはグランド層にはこれらを厚さ方向に貫く開口が形成されており、該開口の個々の形状は長手方向と短手方向を有しており、該長手方向が、導体層の面内の中心側と多層配線基板の辺との間の該辺に近い区域では該辺の方向に垂直な方向であることを特徴とする多層配線基板である。
【００２５】
請求項４や請求項５の発明によると、図６(a)に示すように開口１０３の個々の形状が中心からの放射方向を向いている。開口１０３は方向性が判り易いように短線で模式的に描いている。
尚、請求項４や請求項５、また後述する請求項６や請求項７に係る発明は、技術思想としては、請求項２と共通するところがある。請求項２の場合は開口の配置をマクロ的に放射状としたものであり、一方この場合は、ミクロ的に個別の開口が放射方向を向いたものである。効果としても同等であり、残導体部が放射状に走っているために、剛性の高い領域が反りの抑制を担っている。
【００２６】
また、請求項６に記載の発明は、導体層と絶縁層とが積層されており、該導体層は配線層及び、電源またはグランド層を有しており、該電源またはグランド層にはこれらを厚さ方向に貫く開口が形成されており、
該開口の個々の形状は長手方向と短手方向を有しており、該長手方向が、導体層の面内の中心側から外側へ放射状に向かう方向に垂直な方向であることを特徴とする多層配線基板である。
【００２７】
また、請求項７に記載の発明は、導体層と絶縁層とが積層されており、該導体層は配線層及び、電源またはグランド層を有しており、該電源またはグランド層にはこれらを厚さ方向に貫く開口が形成されており、
該開口の個々の形状は長手方向と短手方向を有しており、該長手方向が、導体層の面内の中心側と多層配線基板の辺との間の該辺に近い区域では該辺の方向に平行な方向であることを特徴とする多層配線基板である。
【００２８】
請求項６や７は、請求項４や５と対照的な構成要件を提供している。図６（ｂ）に示すように開口の個々の形状が中心からの放射方向から垂直な方向を向いているものである。この場合は同心円方向に剛性の高い部分が出来る為、基板端部でのうねりが大きい場合に、うねりを抑制する事が出来、有効である。請求項４〜７に関わる形状はそれぞれの基板の反りの状態に応じて種々適用する事が望ましい。
【００２９】
請求項４〜７の発明によると、図６(a)に示すように開口の個々の形状が中心からの放射方向を向いている。これは、思想としては、請求項２と共通するところがある。請求項２の場合は開口の配置をマクロ的に放射状としたものであり、一方この場合は、ミクロ的に個別の開口が放射方向を向いたものである。効果としても同等であり、残導体部が放射状に走っているために、剛性の高い領域が反りの抑制を担っている。
【００３０】
尚、請求項４〜７の発明では、開口の方向性をもった個々の形状の例としては長丸、楕円、平行四辺形、長方形、又は菱形などの多角形、あるいは、それらを組み合わせた複合形状、等のいずれかであることが好ましい。
即ち、開口の形状は設計、加工、配置の便を考慮して、図７に例示したように種々に適宜変形する事が出来る。図７の矢印が方向性を表しており、開口の形成領域および開口の残し部（非形成領域）にてミクロ領域での剛性を規定するものである。
【００３１】
また、請求項８に記載の発明は、前記開口が、前記多層配線基板の回路の１ＭＨｚ以上の交流信号が流れる部分以外の箇所に配置されていることを特徴とする請求項1乃至７のいずれかに記載の多層配線基板である。
【００３２】
すなわち、一般にシグナル層とも呼ばれ１ＭＨｚより高い高周波数領域での信号伝送に関係する部分を除いた配線層の部分である、電源、グラウンド部分、多層配線板において機械的強度を保持する為のパターンであるいわゆるダミーパターン、又は、エッチングなどのパターニングの補正のために用いる電気的には通電されないダミーパターン、等に、選択的に開口を配置することにより、高周波電気特性を低下させることのない多層プリント配線板を提供できる。
また、高周波伝送の信号伝送部は、高密度な配線ルールとなることが多く、配線が細いため、この部分に開口を配置すると、機械的な強度が低下する。このため、上記部分に選択的に開口を配置しない事によって信頼性が高い多層基板を提供できる。
又、これまでの項ではあえて、高速信号が流れるシグナル部の領域を意識しないで、残導体率（１―開口率）を記述してきたが、反りを効果的に抑制する為には、シグナル層を含めて残導体率を算出することが望ましい。
【００３３】
また、請求項９に記載の発明は、請求項１乃至７のいずれかに２以上に記載の多層配線基板の特徴が組み合わされていることを特徴とする多層配線基板である。
【００３４】
請求項１〜６の構成を組み合わせる事により、個々の反り抑制効果の相乗作用により飛躍的に反りを低減する事が出来る。図８と表３は請求項１、請求項５を組み合わせた例に関するもので、基板の（面内のおよび厚さ方向の）中心側に行くにつれて開口率が小さく、外側では大きくなっている。
【００３５】
【表３】
2010238692.tif 000005
【００３６】
尚、本発明では、多層配線基板の絶縁層の少なくとも一層にポリイミドからなる層を含むことが好ましい。ポリイミド系材料は、半導体パッケージ用多層基板の絶縁層用材料として一般的なエポキシ系の材料などに比べ、低い誘電率や、低い誘電正接の値などの非常に良好な電気特性を有して高速対応に有利であり、かつガラス転移点の温度が高いため熱耐性が高く、引っ張り強度耐性が良いなどの優れた機械的特性を持つ。
これらの特性により、絶縁機能を維持した上で、薄くすることができる。これにより、基板の薄化、軽量化に有効である。
【００３７】
また、請求項１０に記載の発明は、請求項１乃至９のいずれかに記載の多層配線基板に、半導体素子が実装されていることを特徴とする半導体装置である。
【００３８】
本発明の請求項１〜９の多層配線基板を利用している結果、これらに半導体素子が実装された半導体装置は、実装性や信頼性に優れたものとなる。
【発明の効果】
【００３９】
本発明によれば、電気的特性を損なわないまま、基板中のガスを効果的に放散することができ、加熱工程等においてもふくれや剥離の発生し難く、かつ反りを抑制することで、実装性、信頼性の高い半導体パッケージ用多層基板が提案することが出来る。
【図面の簡単な説明】
【００４０】
【図１】本発明に係る多層配線基板の導体部を模式的に描いた説明用の平面図。
【図２】多層配線基板が同一曲率で曲がった場合の反りの様子を模式的に描いた説明図。
【図３】本発明に係る多層配線基板の開口が配される領域を模式的に描いた説明図。（ａ）非形成領域を規定する場合  （ｂ）形成領域を規定する場合
【図４】本発明に係る多層配線基板の層ごとの開口率を模式的に描いた説明図。
【図５】開口率を変えた場合の開口を模式的に描いた説明図。（図４の補足説明用）
【図６】本発明に係る多層配線基板の開口の形状や方向性について模式的に描いた説明図。（ａ）開口形状の長手方向が面内で外側に向かう方向の場合［請求項５］  （ｂ）開口形状の長手方向が面内で辺に並行な方向の場合［請求項７］
【図７】本発明に係る多層配線基板の開口の形状や方向性について模式的に描いた説明図。
【図８】本発明に係る多層配線基板の構成要件を組み合わせた例を模式的に描いた説明図。
【図９】本発明に係る多層配線基板の一例の断面を模式的に描いた説明図。
【図１０】本発明に係る多層配線基板の配線引き回しの一例の断面を模式的に描いた説明図。
【発明を実施するための形態】
【００４１】
図９は本発明に係る多層配線基板の代表的な構成につき、ここでは６層の場合の断面を模式的に描いたものである。 
【００４２】
本発明に係る多層配線基板は、導体から成る配線層１１，２１，３１，４１，５１、６１と、有機材料から成る絶縁層１２、２２、３２、４２、５２と、有機材料から成り最表層に形成されるソルダーレジスト１０５、によって構成される。そして、ビア１４，２４，３４，４４，５４により層間接続が行われる。
【００４３】
また本発明に用いられる積層される絶縁層の有機材料としては、ポリイミド系材料、エポキシ系材料、ポリオレフィン系材料、又は液晶ポリマー構造の有機材料などや、ガラスエポキシ材料などの複合材料などを用いることができる。
本発明に関わる配線層の材料としては、銅やアルミニウムなどの金属や、カーボンナノチューブ、あるいは導電性高分子のような導電性材料を用いることができる。
また、ソルダーレジストとしては、半導体パッケージ用として各社から販売されている公知のものを用いる事が出来る。
【００４４】
図９において、絶縁層３２の上下に、配線層３１と４１とが配置され、パターニングされる。さらに、配線層３１の上に絶縁層２２を、また、配線層４１の下に絶縁層４２を配置する。この時、加熱しながら圧力をかけることで、配線層３１，４１のパターンの間にそれぞれの絶縁層２２，４２の有機材料が充填され、パターン間の隙間が埋められる。
次に、配線層２１と配線層５１をそれぞれ配置し、パターニングを行う。同様の方法で絶縁層１２、５２が形成され、配線層１１、６１も形成される。
【００４５】
配線層のパターンを形成するには、めっき工法などにより金属等の導電性の膜を形成し、フォトリソグラフィー法などにより、パターニングすることができる。
具体的には、最初に厚くめっきして形成した金属膜をフォトリソグラフィー法でパターニングして配線パターンを形成するサブトラクティブ工法や、薄く無電解めっきをして形成した金属膜の上に、フォトリソグラフィー法によりレジストのパターンを形成し、該レジストのないところに電解めっきにより厚く金属パターンを形成した後にレジストを除去し、さらに全体をエッチングして、薄い無電解めっき層を除去することで、配線パターンを形成するセミアディティブ工法などを適用して形成してもよい。また、カーボンナノチューブや、導電性有機高分子材料などを、コーティングなどの工法や、スパッタなどの装置を用いた工法で膜形成し、フォトリソグラフィー法などによって、配線パターンを形成してもよい。
【００４６】
配線層のパターンを形成する場合に、本発明に係る開口を同時に設ける事が望ましい。本発明に係る開口は、製造工程中に発生する気体のガス抜き孔であると同時に、（非開口との協力の下で）反り抑制の効果を担っている。導体層、絶縁層の材質、配線パターン、等を考慮した上で、本発明の効果が高まるよう、開口率および残導体率を決定する事が望ましい。
【００４７】
絶縁層３２に配線層３１、４１を積層する方法については、ラミネート法、接着法、熱融着法、キャスト法、スパッタリング法などを用いることが出来る。
【００４８】
その後、配線層３１、４１間の導通を取る為のビア３４を形成する。フォトリソグラフィー法を用いてエッチングを円形に部分的に行って導体部を除去し、その除去した部分にＵＶ−ＹＡＧレーザを用いたレーザ加工に絶縁層３２に開口を形成した後、絶縁層３２の孔の内部のレーザの熱により変性した残渣をデスミア処理によって除去する。前記開口に無電解銅めっきによって下地めっきを施した後に、フィルドビア用銅めっき液を用いて、電解銅めっきを行って銅を貫通孔に充填し配線層３１と配線層４１を接続するビア３４を形成する。また、ビアを完全に埋めず残った部分に有機物等を充填するコンフォーマルビアを形成しても良い。
【００４９】
前記絶縁層３２，配線層３１，４１と同様にして絶縁層２２，４２，配線層２１，５１を形成した。また、前記ビア３４と同様にして、ビア２４、４４を形成した。さらに、前記配線層３１、４１のパターニングと同様にして、配線層２１、５１のパターニングを行った。このようにして4層の多層配線板を作成した。
【００５０】
同様にして、絶縁層と、配線層の形成を行い絶縁層１２，５２、配線層１１，６１ビア１４，５４を形成し、６層多層配線板を作成した。本実施の形態においては積層を逐次行ったが、パターニングされた配線層、絶縁層をそれぞれ用意し一括にて積層、層間接続を行ってもよい。
【００５１】
このようにして作成した6層配線板の最外層上にソルダーレジスト１０５を印刷により形成した。形成方法にはスプレーコート、ディップコート、ドライフィルム型ソルダーレジストのラミネートなどを用いる事ができる。
【００５２】
その後、配線層１１の側にベアの半導体チップを実装するための表面処理を行い、半導体チップの実装側とした。  
すなわち、まず、該半導体チップと該多層プリント配線板とを電気的に接続するため、配線層１１、６１に、配置された接続部となるパッドの部分にソルダーレジスト１０５の開口を設けた。全体を金めっき浴につけることにより、該パッド用開口に選択的に金メッキを行った。開口の表面処理には銀やパラジウム合金などのめっきを施して用いてもよい。また、これらの金属が、下地となる導体に拡散するのを防止するためや、硬度を高めるために、ニッケルまたはニッケル合金などのめっきを前記金や銀やパラジウム合金などのめっきの前に施してもよい。
次に配線層１１の該パッド上にＳｎ−Ａｇ−Ｃｕ系はんだを印刷して形成した後、前記はんだリフローを行い、該半導体チップと接続するためのはんだバンプの形成を行った
【実施例１】
【００５３】
本発明においては絶縁層はすべてポリイミド材料を用いた。まず、両面銅箔付きポリイミド基材を用意し、ＵＶレーザーによりビア孔を形成した。その後、ビア孔内の洗浄を過マンガン酸塩により行い、無電会めっき、電解めっきを行う事でビアフィルドを行った。めっき後には化学研磨処理により銅の厚さを所望の値までおとし、フォトリソグラフィー、塩化第二鉄によるエッチングにてパターンを両面同時に形成した。なお本発明の開口も同時に形成した。開口の形成状態については後述する。
【００５４】
続いて、接着剤付きポリイミド銅箔（銅／ポリイミド／接着剤）を先ほど作製した２層基材の上下に配置し、一括プレスにより積層を行った。同様の方法で、ビア形成、パターニングを行い４層基材を作製した。
その後さらに、積層、ビア形成、パターニングを行い６層基材を作製した。また、最表面にソルダーレジストのパターンを形成し、表面処理としてはＮｉ／Ａｕめっきを行った。半導体チップ側にハンダバンプを形成した。基板のサイズは４０ｍｍ角とした。
【００５５】
実施例１における各層の開口の状態を以下に示す。層内の領域を２つに分け中心部の開口率を３０％とし、外周部の開口率を４０％とした。さらに、図３（ａ）の用に開口の非形成領域をＸ字状に形成し、個々の形状を図６（ａ）の用に放射状の菱形として配置した。中心部の開口率が３０％の領域を２０ｍｍ角とし、非線形領域の幅を２ｍｍとした。
【実施例２】
【００５６】
実施例１の開口の配置や開口の形状に関わる方向性を変更した事以外は、実施例１と同様にして、実施例２の６層の多層配線基板を形成した。
層内の配置は図６（ｂ）の様に個々の開口は、多層配線基板の領域それぞれで、多層配線基板の面の中心から各辺に向かう方向の垂直方向に向いた長丸形状として、層ごとの開口率を規定した。多層配線基板の断面の様子を模式的に描くと図９の様になり、各層の開口率を、導体層１１，６１については４０％に、導体層２１，５１については３０％に、また導体層３１，４１については２０％とした。
【比較例】
【００５７】
比較例として、実施例１に対して、開口の配置や開口の形状に関わる方向性を変更した事以外は、実施例１の場合と同様として、６層の配線基板を形成した。開口率は多層配線基板内で一律に３０％として、開口は多層配線基板の面内で均等に配置した。
【００５８】
上記のように製造した多層配線基板について、実装前後の反りや実装性を評価した。まず、実装工程前の反り量を測定した。反り量は、レーザ変位計にて、測定器のステージ面を基準として、基板範囲内にて最もステージ面から離れている点と近い面との差を、基板全体の仮想平面を計算して傾き成分を除去した後に計測した。各１０枚測定し、反りの平均値が実施例１にて９５μｍ、実施例２にて１００μｍ、比較例にて１６０μｍであった。
【００５９】
その後、ダミーチップへ一次実装を行い、実装前と同様の方法にて反りを測定した。実装後の反りは、実施例１にて１８０μｍ、実施例２にて１９５μｍ、比較例にて２８０μｍであった。また、はんだ接合不良については、実施例１、実施例２では全１０個の基板の内で発生はゼロ個であったが（発生しなかったが）、比較例では全１０個の基板に対して１個発生してしまった。
結局、本発明によると、反りを有効に低減する事が出来、また実装性も向上させる事が出来た。
【符号の説明】
【００６０】
１Ａ、１Ｂ、１Ｃ、９Ｉ、９II  ・・・開口の形成領域の区分けの一つ
４Ａ、４Ｂ、４Ｃ、９Ａ、９Ｂ  ・・・開口を形成する層の区分けの一つ
１００  ・・・基板
１１、２１、３１、４１、５１、６１          ・・・配線層
１０２、１２、２２、３２、４２、５２、６２  ・・・絶縁層
１０３、１３、２３、３３、４３、５３、６３  ・・・開口
１４、２４、３４、４４、５４    ・・・ビア
１０５  ・・・ソルダーレジスト
１０６  ・・・シグナル層  
１０７  ・・・電源もしくはグランド層
ｒ  ・・・曲率半径
【図１】
2010238692.tif 000006
【図２】
2010238692.tif 000007
【図３】
2010238692.tif 000008
【図４】
2010238692.tif 000009
【図５】
2010238692.tif 000010
【図６】
2010238692.tif 000011
【図７】
2010238692.tif 000012
【図８】
2010238692.tif 000013
【図９】
2010238692.tif 000014
【図１０】
2010238692.tif 000015